(57)【要約】【課題】記憶媒体に記憶された医用画像と同一条件で、容易に撮影を可能とする。【解決手段】電子カルテ端末はメディアに記憶された医用画像を読み出し（ステップＳ１）、読み出された医用画像の付帯情報から撮影条件等を抽出する（ステップＳ４）。そして、抽出した撮影条件等を用いてオーダ情報を生成し、モダリティに送信する（ステップＳ５）。モダリティはオーダ情報に従って撮影条件等を設定し（ステップＳ６）、設定された内容で撮影を行う（ステップＳ７）。【選択図】図４
2009022566.tif 000002
【特許請求の範囲】
【請求項１】
少なくとも撮影装置を含む医用画像システムにおいて、
可搬型の記憶媒体に記憶された医用画像を読み出す読出手段と、
前記読み出された医用画像の付帯情報から撮影条件の情報を抽出し、当該撮影条件の情報を用いて撮影のオーダ情報を生成する制御手段と、を備え、
前記撮影装置は、前記生成された撮影のオーダ情報に従って撮影を行い、医用画像を生成する医用画像システム。
【請求項２】
少なくとも撮影装置を含む医用画像システムにおいて、
前記撮影装置は、
撮影により医用画像を生成する撮影手段と、
可搬型の記憶媒体に記憶された医用画像を読み出す読出手段と、
前記読み出された医用画像の付帯情報から撮影条件の情報を抽出し、当該撮影条件により撮影を行うよう前記撮影手段を制御する制御手段と、
を備える医用画像システム。
【請求項３】
前記制御手段は、前記読み出された医用画像の付帯情報から医用画像の生成条件の情報を抽出し、当該生成条件により医用画像の生成を行うよう前記撮影手段を制御する請求項１又は２に記載の医用画像システム。
【発明の詳細な説明】
【技術分野】
【０００１】
本発明は、医用画像システムに関する。
【背景技術】
【０００２】
医用画像システムでは、撮影前にオペレータがモダリティにおいて撮影条件等を手入力している。撮影条件等は医師により撮影する患者の情報や撮影条件等が記載された指示書を元に入力する。システム化が進んだ病院等では、ＨＩＳ（Hospital Information System）やＲＩＳ（Radiology Information System）等において撮影対象の患者やその撮影条件等を指示するオーダ情報を生成し、モダリティ（撮影装置）に配信することが行われている。この場合もＨＩＳやＲＩＳにおいてオーダ情報を生成する際に撮影条件等をオペレータが入力操作しなければならない。
【０００３】
このオペレータによる入力操作を容易にするため、患者が携帯するＩＣカードや磁気カードに記憶されている患者情報等を読み取って利用することが行われている（例えば、特許文献１参照）。
【特許文献１】特許第３７９１５７９号
【発明の開示】
【発明が解決しようとする課題】
【０００４】
一方、ＣＤ−Ｒ等の可搬型の記憶媒体に撮影された医用画像等を記憶させ、患者に提供することも行われている。患者が転院先等においてＣＤ−Ｒを提供することで、今まで受けた診察結果を転院先でも活用することが可能となる。
【０００５】
転院先ではＣＤ−Ｒに記憶された過去の診察における医用画像を医師が読影するが、経過観察を行うため、その過去の医用画像と同一条件で撮影を行いたいという場合がある。医用画像にはヘッダ領域に患者の情報やその医用画像を撮影した際の撮影条件等の情報が書き込まれていることが一般的であるので、この情報を確認すれば撮影条件の情報等は把握することができる。
【０００６】
しかしながら、この撮影条件をモダリティに設定するため、指示書を作成したり、オーダ情報生成のために入力を行わなければならない点は変わらない。そのため、医師が医用画像の付帯情報を確認して指示書を作成し、さらにモダリティやＲＩＳ等にオペレータが入力操作しなければならず、医師やオペレータの負担が大きい。特に、撮影条件が複雑な場合、例えばＣＴ（Computed Tomography）撮影等の場合には撮影枚数が多く、また撮影条件もスライス厚（断層画像を得る間隔）、撮影の開始位置、終了位置等、詳細な設定が必要であるため、入力操作の負担が大きいとともに入力ミスも考えられる。
【０００７】
画像サーバに登録済みの医用画像がある場合、モダリティ側でこの医用画像から撮影条件等の情報を取得して同一条件で撮影を行うことは行われているが、上記のようにＣＤ−Ｒに記憶された医用画像は画像サーバに未登録のものであるため、撮影条件の取得ができない。
【０００８】
本発明の課題は、記憶媒体に記憶された医用画像と同一条件で、容易に撮影を可能とすることである。
【課題を解決するための手段】
【０００９】
請求項１に記載の発明によれば、
少なくとも撮影装置を含む医用画像システムにおいて、
可搬型の記憶媒体に記憶された医用画像を読み出す読出手段と、
前記読み出された医用画像の付帯情報から撮影条件の情報を抽出し、当該撮影条件の情報を用いて撮影のオーダ情報を生成する制御手段と、を備え、
前記撮影装置は、前記生成された撮影のオーダ情報に従って撮影を行い、医用画像を生成する医用画像システムが提供される。
【００１０】
請求項２の記載によれば、
少なくとも撮影装置を含む医用画像システムにおいて、
前記撮影装置は、
撮影により医用画像を生成する撮影手段と、
可搬型の記憶媒体に記憶された医用画像を読み出す読出手段と、
前記読み出された医用画像の付帯情報から撮影条件の情報を抽出し、当該撮影条件により撮影を行うよう前記撮影手段を制御する制御手段と、
を備える医用画像システムが提供される。
【００１１】
請求項３の記載によれば、
前記制御手段は、前記読み出された医用画像の付帯情報から医用画像の生成条件の情報を抽出し、当該生成条件により医用画像の生成を行うよう前記撮影手段を制御する請求項１又は２に記載の医用画像システムが提供される。
【発明の効果】
【００１２】
請求項１に記載の発明によれば、記憶媒体に記憶されていた医用画像と同一の撮影条件により撮影された医用画像を得ることができる。また、オーダ情報を生成するにあたって、オペレータや医師が撮影条件を入力する負担を軽減することができるとともに、入力ミスを防ぐこともでき、容易かつ正確な撮影が可能となる。
【００１３】
請求項２に記載の発明によれば、記憶媒体に記憶されていた医用画像と同一の撮影条件により撮影された医用画像を得ることができる。撮影装置において記憶媒体から撮影条件の読み出しを行うので、オーダ情報を用いず、直接撮影装置に撮影条件を入力するようなシステム構成においても、オペレータや医師が撮影条件を入力する負担を軽減することができるとともに、入力ミスを防ぐこともでき、容易かつ正確な撮影が可能となる。
【００１４】
請求項３に記載の発明によれば、記憶媒体に記憶されていた医用画像と同一の生成条件により生成された医用画像を得ることができる。また、生成条件についても入力負担を軽減し、入力ミスを防いで、容易かつ正確な医用画像の生成を行うことができる。
【発明を実施するための最良の形態】
【００１５】
〈第１実施形態〉
まず、構成を説明する。
図１に、本実施形態における医用画像システム１のシステム構成を示す。
医用画像システム１は、病院Ａにおいて構築されているシステムであり、画像サーバ１０、電子カルテ端末２０、ＲＩＳ３０、モダリティ４０を備えて構成されている。画像サーバ１０、電子カルテ端末２０、ＲＩＳ３０、モダリティ４０は図示しないネットワークを介して相互に接続されている。
一方、医用画像システム２は病院Ｂにおいて構築されているシステムである。システム構成は医用画像システム１と同様であるが、図１では便宜上画像サーバ１０のみ示している。
【００１６】
医用画像システム１は、電子カルテ端末２０において撮影のオーダ情報を生成し、これをＲＩＳ３０を介してモダリティ４０に配信することで、モダリティ４０がオーダ情報に従った撮影を行うというものである。モダリティ４０の撮影により生成された医用画像は、画像サーバ１０により保存され、管理されることとなる。
【００１７】
病院Ａ及び病院Ｂ間はネットワーク接続されていないため、各医用画像システム１、２はそれぞれが管理している医用画像を、ネットワークを介して交換することができない。このような状況下でも、メディアＭを用いて医用画像の提供を行うことが可能である。メディアＭは可搬型の記憶媒体であり、ＣＤ−Ｒ、小型メモリ等が適用可能である。医用画像システム２のモダリティ４０で撮影された医用画像は、医用画像システム２の画像サーバ１０に保存されるので、画像サーバ１０にてメディアＭに医用画像を書き込む。患者が病院Ｂから病院Ａに転院する際には、患者がメディアＭを病院Ｂに持ち込めば、病院Ａの電子カルテ端末２０においてメディアＭに記憶された医用画像を表示できるので、病院Ａの医師は過去撮影された医用画像を読影することが可能となる。
【００１８】
以下、図１の医用画像システム１の構成について詳細に説明する。
画像サーバ１０は、大容量のメモリを備え、モダリティ４０により生成された医用画像をデータベース化した後、メモリに保存、管理する。
また、画像サーバ１０は、メディアドライブ等を備えてメディアＭへの医用画像の書込処理を行う。一方で、外部からメディアＭが持ち込まれた場合にはメディアＭに記憶された医用画像を読み出す処理を行う。読み出した医用画像は、上記のようにデータベース化した後、メモリに保存、管理する。なお、メディアＭには医用画像の他、読影レポートや処方箋情報等の他の医療情報を書き込むことも可能である。
【００１９】
電子カルテ端末２０は、医師が診察する際に用いる端末であり、電子カルテを生成する処理を行う。また、電子カルテ端末２０はオーダ情報の生成を行う。オーダ情報は、撮影対象の患者を特定する患者情報の他、撮影条件、医用画像の生成条件等、撮影の内容を指定する情報を含む。
【００２０】
図２に、電子カルテ端末２０の機能的構成を示す。
図２に示すように、電子カルテ端末２０は、制御部２１、操作部２２、表示部２３、通信部２４、記憶部２５、メディアドライブ２６を備えて構成されている。
【００２１】
制御部２１は、ＣＰＵ（Central Processing Unit）、ＲＡＭ（Random Access Memory）等から構成され、記憶部２５に記憶されているプログラムとの協働により、各種演算を行い、各部の動作を集中制御する。
例えば、制御部２１は記憶部２５から電子カルテ作成用のプログラムを読み出し、このプログラムとの協働により、電子カルテ作成のための操作画面の表示制御、電子カルテの情報生成等の処理を行う。
また、制御部２１はオーダ情報生成用のプログラムとの協働により、オーダ情報生成用の操作画面の表示制御、オーダ情報の生成、配信等の処理を行う。
【００２２】
操作部２２は、キーボード、マウス等を備え、これらの操作入力に応じた操作信号を生成して制御部２１に出力する。
表示部２３は、ディスプレイを備え、制御部２１の表示制御に従って、各種操作画面や医用画像等をディスプレイ上に表示する。
【００２３】
通信部２４は、通信用のインターフェイスを備え、ネットワーク上の画像サーバ１０、ＲＩＳ３０等と通信を行う。
記憶部２５は、ハードディスク等の大容量のメモリから構成され、プログラム、プログラムの実行に必要なパラメータのデータ等を記憶する。
また、記憶部２５は、医用画像、電子カルテ等を記憶する。
【００２４】
メディアドライブ２６は、メディアＭに記憶された医用画像等のデータを読み出す処理を行う。また、制御部２１の制御に従ってデータの書込処理を行う。
【００２５】
メディアＭへの書込は、ＰＤＩ（Portable Data for Imaging）規格に従って行う。ＰＤＩはＩＨＥ（Integrating the Healthcare Enterprise）又はＩＨＥ−Ｊ（IHE-Japan）によるガイドラインにおいて定められているものである。ＩＨＥ、ＩＨＥ−ＪはＤＩＣＯＭ規格の他、ＨＬ７と呼ばれる医療機器の相互接続のために決められた規格を、臨床現場のワークフローに即して用いるために定められたガイドラインである。ＰＤＩはこのＩＨＥ、ＩＨＥ−Ｊのうち、医用画像を可搬型の記憶媒体に保存して利用する場合のデータ運用に関して定めたガイドラインである。
ＰＤＩ規格に従って医用画像を書き込むことにより、読み出す側においてもＰＤＩ規格に従う限り、書き込まれた医用画像の認識が可能となる。
【００２６】
ＲＩＳ３０は、放射線部門内の情報を管理する放射線部門システムである。ＲＩＳ３０は、電子カルテ端末２０からオーダ情報を受けると、これをモダリティ４０で採用されているＤＩＣＯＭ規格に従ったデータ形式に変換してモダリティ４０に送信する。
【００２７】
モダリティ４０は、撮影を行って医用画像を生成する撮影装置である。モダリティ４０としては、ＣＲ（Computed Radiography）装置、ＣＴ装置、ＭＲＩ（Magnetic Resonance Imaging）装置等が挙げられる。モダリティ４０は、ＤＩＣＯＭ規格に従って、電子カルテ端末２０から送信されたオーダ情報に含まれる患者情報、医用画像の生成に関する情報、撮影条件等の情報を医用画像のヘッダ領域に書き込む等して、付帯させる。この付帯情報を参照することにより医用画像を個別に識別することが可能となる。
【００２８】
図３に、モダリティ４０の機能的構成を示す。
モダリティ４０は、図３に示すように撮影操作を行うためのコンソール４１と撮影動作を行う撮影系４２とから構成されている。
なお、図３ではコンソール４１と撮影系４２とが別体構成された例を示したが、モダリティ４０の種類によっては一体に構成される場合もある。また、モダリティ４０の種類によって詳細な構成は異なるが、基本的構成は図３に示す通りである。
【００２９】
コンソール４１は、制御部４１１、操作部４１２、表示部４１３、通信部４１４、記憶部４１５、メディアドライブ４１６を備えて構成されている。
制御部４１１は、ＣＰＵ等から構成され、撮影制御のプログラムとの協働によりコンソール４１の各部の集中制御を行う。なお、制御部４１１は撮影制御部４２１と接続されており、撮影制御部４２１と撮影制御に係る制御信号等のやりとりを行う。
【００３０】
操作部４１２はキーボード等を備えて操作に応じた操作信号を生成して制御部４１１に出力する。この操作部４１２を介して撮影条件の入力操作等が可能である。
表示部４１３はディスプレイを備え、制御部４１１の制御に従って操作画面等を表示する。
【００３１】
通信部４１４は通信用のインターフェイスを備え、ネットワーク上の外部装置、例えばＲＩＳ３０、画像サーバ１０等と通信を行う。
記憶部４１５は、制御用のプログラム等を記憶する。
メディアドライブ４１６は、上述した電子カルテ端末２０に設けられるメディアドライブ２６と機能は同一であるのでここでは説明を省略する。
【００３２】
撮影系４２は撮影制御部４２１、操作部４２２、撮影部４２３を備えて構成されている。
撮影制御部４２１は、制御部４１１から送信される制御信号に従って、撮影部４２３の撮影動作、画像生成部４２４の画像生成動作を制御する。
操作部４２２は、撮影開始を指示する指示ボタン等を備え、その操作に応じた操作信号を生成して撮影制御部４２１に出力する。
【００３３】
撮影部４２３は撮影動作を行い、医用画像を生成する。例えば、ＣＲ装置であれば撮影部４２３は、Ｘ線源、Ｘ線を吸収する蛍光体層を有する撮影パネル、読取部等を備えて構成される。撮影時には、Ｘ線源から照射され、被写体（患者）を透過したＸ線を撮影パネルにより吸収させる。これによりＸ線画像が記録される。その後、読取部が上記撮影パネルに励起光を照射すると、撮影パネルが吸収したＸ線エネルギーにより発光が起こるので、当該発光を読取部が光電変換することにより撮影パネルに記録されたＸ線画像を読み取る。
【００３４】
次に、医用画像システム１の動作について説明する。
図４は、他の病院Ｂにおいて作成されたメディアＭが、患者によって病院Ａに持ち込まれた際に、電子カルテ端末２０とモダリティ４０において行われる処理の流れを示す図である。メディアＭには、病院Ｂの医用画像システム２で撮影された医用画像が記憶されている。
以下、医師や患者らのワークフローとともに処理の流れを説明する。
【００３５】
病院Ａでは医師が患者の診察を行う。この際、医師は患者が持ち込んだメディアＭを電子カルテ端末２０のメディアドライブ２６に挿入し、メディアＭ内のデータ読み出しの指示操作を行う。
電子カルテ端末２０では、読み出しの指示に応じてメディアドライブ２６がメディアＭ内に記憶されているデータの読出処理を行う（ステップＳ１）。制御部２１は、この読み出されたデータの中から医用画像のデータを検索する。ＰＤＩ規格ではメディアＭのデータ構造も規格化されており、医用画像を格納するフォルダが決められているので、制御部２１はこのフォルダ内のデータの有無を検索すればよい。医用画像のデータが検索されれば、制御部２１は当該医用画像を表示部２３上に表示させる（ステップＳ２）。この表示により医師は、メディアＭ内に記憶されていた医用画像の読影が可能となる。
【００３６】
このとき、制御部２１は医用画像の表示画面上に、当該医用画像と同一の撮影条件でオーダ情報を生成することを指示するアイコンを設ける。或いは、デスクトップ上に当該アイコンを常時表示させておくこととしてもよい。
表示された過去の医用画像と現在の医用画像を比較する必要性があると医師が診断した場合等は、比較読影のため両画像を同一の撮影条件とすることを望むと考えられる。このような場合には、上記アイコンを操作すればよい。
【００３７】
アイコンの操作がない場合（ステップＳ３；Ｎ）、後述するステップＳ１０の処理に移行する。
一方、医師によってアイコンが操作され、表示した医用画像と同一の撮影条件でオーダ情報を生成する指示操作がなされた場合（ステップＳ３；Ｙ）、制御部２１は表示している医用画像のヘッダ領域から患者情報、撮影条件等の付帯情報を抽出する（ステップＳ４）。
図５に、付帯情報の例を示す。
図５に示すように、医用画像には大きく分けて患者情報、検査情報、シリーズ情報、画像生成に関する情報、撮影条件の情報が付帯されているので、そのうちの全部又は撮影に最低限必要な一部を抽出する。
【００３８】
患者情報は、患者の名前、患者ＩＤ等、患者を特定する情報を含む。検査情報は、検査日付、検査ＩＤ、検査を依頼した医師名等、検査を特定する情報や検査の依頼に関する情報を含む。シリーズ情報は、各シリーズを区別するシリーズ番号、そのシリーズの検査部位等、シリーズに関する情報を含む。ＣＴ等の場合は同一検査でもその検査部位（例えば、左側の腹部から胸部、右側の腹部から胸部等）によって撮影単位（シリーズ）を分ける場合があり、このシリーズ毎に固有の情報をシリーズ情報とするものである。画像生成に関する情報は、画像を生成する日付、時刻、画素あたりのサンプル数、画素アスペクト比等の生成条件に関する情報を含む。撮影条件の情報は、モダリティ１０の種類によって異なるが、ＭＲＩ装置であれば反復時間、エコー時間、磁場強度等、ＣＲ装置であればＸ線管電流、爆射量等の情報を含む。
【００３９】
制御部２１は、抽出した撮影条件や医用画像の生成条件等の情報を用いてオーダ情報を生成する。具体的には、予め患者情報、撮影条件等の必要項目が準備されたオーダ情報のフォーマットに、抽出した情報を入力する。そして、制御部２１は生成したオーダ情報を、通信部２４からＲＩＳ３０を介してモダリティ４０に送信させる（ステップＳ５）。
このとき、医師は画像サーバ１０においてメディアＭ内の医用画像を読み込ませる。画像サーバ１０はメディアＭから医用画像を読み出し、保存する。保存の際には、医用画像の付帯情報に基づき、医用画像のデータベース化を行う。これにより、病院Ｂで撮影された医用画像を患者の過去の医用画像として管理することができる。
【００４０】
モダリティ４０はオーダ情報を受信すると、制御部４１１がオーダ情報を表示部４１３に表示させ、オペレータにより確認の操作がなされると、オーダ情報に含まれる撮影条件、医用画像の生成条件の情報を読み出して撮影部４２３における設定を行うよう制御情報を撮影制御部４２１に出力する。撮影部４２３では、撮影制御部４２１の制御に従って、指定された撮影条件、生成条件により撮影動作、医用画像の生成動作の設定を行う（ステップＳ６）。
【００４１】
次いで、オペレータが操作部４２２を介して（或いは操作部４１２を介して）撮影開始の指示操作を行うと、撮影部４２３は設定した撮影条件の内容で患者の撮影を行い、設定した生成条件の内容で医用画像を生成する（ステップＳ７）。その後、制御部４１１は電子カルテ端末２０から受信したオーダ情報に基づいて、生成された医用画像に付帯情報を付帯させると、当該医用画像を通信部４１４を介して画像サーバ１０に送信させる（ステップＳ８）。
画像サーバ１０では、医用画像をその付帯情報に基づいてデータベース化し、保存する。
【００４２】
一方、電子カルテ端末２０では、過去と現在の医用画像を比較読影するため、画像サーバ１０から患者に対応する医用画像を取得する。具体的には画像サーバ１０からは保存している医用画像のリストが提供されるので、制御部２１はこのリストから医師によって選択操作された患者の医用画像の要求情報を通信部２４を介して画像サーバ１０に送信させる。画像サーバ１０から要求に応じた医用画像を受信すると、制御部２１はこれを表示部２３上に表示させる（ステップＳ９）。
【００４３】
表示された過去の医用画像は病院Ｂで撮影されたものであり、現在の医用画像はその過去の医用画像に付帯されていた撮影条件、医用画像の生成条件を用いて病院Ａで撮影を行ったものである。よって、両画像の撮影条件、医用画像の生成条件は同一である。比較読影に際して撮影条件、医用画像の生成条件を同一とすることにより、条件の違いによる画質の差をなくすことができるので、医師は正確な診断が可能となる。
【００４４】
次いで、制御部２１は電子カルテの作成画面を表示部２３上に表示させ、操作部２２を介しての入力操作に応じて電子カルテを生成し、記憶部２５に記憶させる（ステップＳ１０）。
【００４５】
以上のように、第１実施形態によれば、電子カルテ端末２０においてメディアＭから読み出した医用画像を表示する。そして、オーダ情報の生成が指示されると、この医用画像の付帯情報から撮影条件等の情報を抽出し、抽出した情報を用いてオーダ情報を生成する。モダリティ４０はこのオーダ情報に従って撮影、医用画像の生成を行う。これにより、メディアＭに記憶されていた医用画像と同一の撮影条件で撮影を行い、同一の生成条件で医用画像を生成することができる。また、オーダ情報を生成するにあたって、オペレータや医師が撮影条件や医用画像の生成条件を入力する負担を軽減することができるとともに、入力ミスを防ぐことができ、容易かつ正確な撮影が可能となる。
【００４６】
なお、規模が小さい医療機関ではＲＩＳ３０が設置されず、電子カルテ端末２０とモダリティ４０が直接接続されているものもある。このような構成の場合には、ＲＩＳ３０を介さずに直接的に電子カルテ端末２０で生成したオーダ情報をモダリティ４０に送信すればよい。
【００４７】
さらに、上述した実施形態では電子カルテ端末２０、ＲＩＳ３０、モダリティ４０を含む構成において、電子カルテ端末２０がオーダ情報を生成する場合を例に挙げたが、ＲＩＳ３０がオーダ情報を生成する構成もある。このような構成の場合、図６に示すようにＲＩＳ３０においてメディアＭ内の医用画像を読み出して、当該医用画像に付帯されている撮影条件等を抽出すればよい。すなわち、上記実施形態で説明した電子カルテ端末２０の機能をＲＩＳ３０が実現する。
【００４８】
〈第２実施形態〉
規模が比較的小さい医療機関では、医用画像システムの規模も小さいため、オーダ情報を用いて撮影を行う構成となっていない場合もある。
第２実施形態では、医用画像システムでオーダ情報を用いずに撮影を行う場合について説明する。
【００４９】
図７は、第２実施形態に係る医用画像システム１ｓを示す図である。
医用画像システム１ｓは、画像サーバ１０、電子カルテ端末２０、モダリティ４０を備えて構成されている。なお、画像サーバ１０、電子カルテ端末２０、モダリティ４０の機能については第１実施形態と同様でありその動作が異なるのみであるので、同一構成には同一の符号を付している。
【００５０】
図８は、他の病院Ｂにおいて作成されたメディアＭが、患者によって病院Ａに持ち込まれた際に、電子カルテ端末２０とモダリティ４０における処理の流れを示す図である。メディアＭには、病院Ｂの医用画像システム２で撮影された医用画像が記憶されている。
以下、医師や患者らのワークフローとともに処理の流れを説明する。
【００５１】
病院Ａでは医師が患者の診察を行う。この際、医師は患者が持ち込んだメディアＭを電子カルテ端末２０のメディアドライブ２６に挿入し、メディアＭ内のデータ読み出しの指示操作を行う。
電子カルテ端末２０では、読み出しの指示に応じてメディアドライブ２６がメディアＭ内に記憶されているデータの読出処理を行う（ステップＳ１１）。制御部２１は、この読み出されたデータの中から医用画像のデータを検索する。ＰＤＩ規格ではメディアＭのデータ構造も規格化されており、医用画像を格納するファイルが決められているので、制御部２１はこのファイル内のデータの有無を検索すればよい。医用画像が検索されれば、制御部２１は当該医用画像を表示部２３上に表示させる（ステップＳ１２）。この表示により、医師はメディアＭに記憶されている医用画像の読影が可能となる。
【００５２】
表示された過去の医用画像と現在の医用画像を比較する必要性があると医師が診断した場合等は、比較読影のため両画像を同一の撮影条件及び／又は医用画像の生成条件とすることを望むと考えられる。この場合には、医師はメディアＭに記憶されている医用画像と同一の撮影条件等で撮影を行うよう、指示書を作成する。すなわち、第２実施形態ではオーダ情報は生成しない。指示書は、例えばメディアＭのどのフォルダ内のどの医用画像の撮影条件、医用画像の生成条件を用いる等、撮影条件等を用いる医用画像を特定できる内容を記載しておく。他、撮影を依頼した医師名等の必要事項を記載する点は従来の指示書と同じである。
【００５３】
医師はこの指示書をメディアＭとともにモダリティ４０のオペレータに渡す。
モダリティ４０では、制御部４１１が撮影条件、医用画像の生成条件の設定画面を表示部４１３に表示させる。制御部４１１はこの設定画面においてメディアＭ内の医用画像から撮影条件等を抽出することを指示するためのアイコンを表示させる。医師から指示書とメディアＭを渡されたオペレータは、操作部４１２を介して上記アイコンを操作し、メディアＭをモダリティ４０のメディアドライブ４１６に挿入する。
【００５４】
モダリティ４０の制御部４１１は、アイコンの操作に応じてメディアＭ内のデータの読み出しをメディアドライブ４１６に行わせ、医用画像のデータを検索する。そして、検索された医用画像のリストを表示させる。オペレータはこのリストから指示書によって指定された医用画像を選択操作する。制御部４１１は、選択操作された医用画像のヘッダ領域から患者情報、撮影条件等の付帯情報を抽出する（ステップＳ１３）。付帯情報の内容については、第１実施形態で説明した内容と同一である。よって、ここでは詳細な説明を省略する。
【００５５】
制御部４１１は、抽出した情報を表示部４１３に表示させ、オペレータにより確認の操作がなされると、撮影部４２３における設定を行うよう制御情報を撮影制御部４２１に出力する。撮影部４２３では、撮影制御部４２１の制御に従って、指定された撮影条件、生成条件により撮影動作、医用画像の生成動作の設定を行う（ステップＳ１４）。
【００５６】
次いで、オペレータが操作部４２２を介して（或いは操作部４１２を介して）撮影開始の指示操作を行うと、撮影部４２３は設定した撮影条件の内容で患者の撮影を行い、設定した生成条件の内容で医用画像を生成する（ステップＳ１５）。その後、制御部４１１はメディアＭ内の医用画像から抽出した情報に基づいて、生成された医用画像に付帯情報を付帯させると、当該医用画像を通信部４１４を介して画像サーバ１０に送信させる（ステップＳ１６）。
画像サーバ１０では、医用画像をその付帯情報に基づいてデータベース化し、保存する。
【００５７】
一方、電子カルテ端末２０では、過去と現在の医用画像を比較読影するため、画像サーバ１０から患者に対応する医用画像を取得する。具体的には画像サーバ１０からは保存している医用画像のリストが提供されるので、制御部２１はこのリストから医師によって選択操作された患者の医用画像の要求情報を通信部２４を介して画像サーバ１０に送信させる。画像サーバ１０から要求に応じた医用画像を受信すると、制御部２１はこれを表示部２３上に表示させる（ステップＳ１７）。
【００５８】
次いで、制御部２１は電子カルテの作成画面を表示部２３上に表示させ、操作部２２を介しての入力操作に応じて電子カルテを生成し、記憶部２５に記憶させる（ステップＳ１８）。
【００５９】
以上のように、第２実施形態によれば、メディアＭに記憶された医用画像と同一の撮影条件で撮影を行う際、モダリティ４０においてメディアＭの医用画像を読み出し、この医用画像に付帯された撮影条件、医用画像の生成条件の情報を抽出する。そして、抽出した撮影条件によって撮影を行い、抽出した生成条件によって医用画像の生成を行う。これにより、メディアＭに記憶されていた医用画像と同一の撮影条件、生成条件の医用画像を得ることができる。また、オペレータや医師が、モダリティ４０において撮影条件、医用画像の生成条件を入力する負担を軽減することができるとともに、入力ミスを防ぐことができ、容易かつ正確な撮影が可能となる。
【００６０】
規模が比較的小さい医療機関では、医用画像システムの規模も小さいため、オーダ情報を用いて撮影を行う構成となっていない場合もある。このような場合でも、上述のように、モダリティ４０で直接メディアＭから撮影条件を取得できる構成とすることにより、容易に同一条件による撮影が可能となる。
【図面の簡単な説明】
【００６１】
【図１】第１実施形態に係る医用画像システムを示す図である。
【図２】図１の電子カルテ端末の機能的構成を示す図である。
【図３】図１のモダリティの機能的構成を示す図である。
【図４】医用画像システムにおける処理の流れを示すフローチャートである。
【図５】医用画像の付帯情報の例を示す図である。
【図６】他の実施例に係る医用画像システムを示す図である。
【図７】第２実施形態に係る医用画像システムを示す図である。
【図８】図７の医用画像システムにおける処理の流れを説明するフローチャートである。
【符号の説明】
【００６２】
１、２、１ｓ  医用画像システム
１０  画像サーバ
２０  電子カルテ端末
２１  制御部
２２  操作部
２６  メディアドライブ
３０  ＲＩＳ
４０  モダリティ
４１  コンソール
４１１  制御部
４１６  メディアドライブ
４２  撮影系
４２１  撮影制御部
４２３  撮影部
Ｍ  メディア
【図１】
2009022566.tif 000003
【図２】
2009022566.tif 000004
【図３】
2009022566.tif 000005
【図４】
2009022566.tif 000006
【図５】
2009022566.tif 000007
【図６】
2009022566.tif 000008
【図７】
2009022566.tif 000009
【図８】
2009022566.tif 000010